(57)【要約】      （修正有）【課題】足腰の弱い人でも楽に安全に上り下りできる、階段式ではない移動型電動昇降踏み台を提供する。【解決手段】Ｘ字型パンタアーム６、７からなる昇降装置１１に、昇降スイッチ２及び持ち手３を付加した支柱４とテーブル５とキャスター９を備える。スイッチ操作により自動でテーブルが昇降できるため、安全性が向上すると共に、キャスターにより移動の容易性が図れる。【選択図】図１
0003195567.tif 000002
【実用新案登録請求の範囲】
【請求項１】
Ｘ字形パンタアームを要した自動昇降装置に、キャスターを備えたことを特徴とする移動型電動昇降踏み台。
【請求項２】
昇降スイッチ部に持ち手を付加させることにより移動の容易性及び昇降時の安全性を高めてあることを特徴とする、請求項１記載の移動型電動昇降踏み台。
【請求項３】
キャスターはスプリングを有し、荷重が無い時には本体が床面から離れて移動ができ、テーブルに乗ると本体が床面に着地する特徴も持つ、請求項１記載の移動型電動昇降踏み台。
【考案の詳細な説明】
【技術分野】
【０００１】  本考案は、キャスターを設けた移動型電動昇降踏み台に関する。
【背景技術】
【０００２】  キャスター付きの移動型踏み台は広く用いられているが、それらは階段式のものが多く、上り下りの動作が足腰の弱い方には負担となっているほか、バランスを崩して転落の危険がある。
【先行技術文献】
【０００３】
【特許文献】
【特許文献】  特開２００２−２６６５７７  公報
【考案の概要】
【考案が解決しようとする課題】
【０００４】  本考案は、そのような方でも楽で安全に上り下りでき、階段式ではない踏み台を提供することを目的とする。
【課題を解決するための手段】
【０００５】  目的を達成する為に、本考案は、Ｘ字形パンタアームを要した自動昇降装置に、スプリングを有すことで荷重の有無によって車輪が上下するキャスターを取り付けることで、移動型電動昇降踏み台を構成している。【０００６】  また、昇降装置の昇降スイッチ部に持ち手を付加させることにより移動の容易性及び昇降時の安全性を高めてあることを特徴とする。
【考案の効果】
【０００７】  本考案では、自動昇降装置を使用することで、昇降の際に複数段上り下りする必要がなくなり、バランスを崩すことが減るので安全で楽に高い位置へ行く事ができる。【０００８】  スプリングを有したキャスターにより、荷重が無い時には本体が床面から離れて移動ができ、テーブルに乗ると本体が床面に着地するので、昇降装置は不意に移動することはない。したがって、移動時と使用時の切り替えは乗り降りだけで済む。
【図面の簡単な説明】
【０００９】
【図１】移動型電動昇降踏み台の実施形態の側面図である。
【図２】本考案の正面図である。
【図３】本考案の昇降機構部の構造を示す側面図である。
【図４】本考案の昇降機構部のフレームを示す斜視図である。
【図５】本考案の昇降機構部の駆動部の構造を示す斜視図である。
【図６】本考案の昇降機構部の構造を示す斜視図である。
【図７】本考案のキャスター部の構造を示す側面図である。
【図８】本考案のキャスター部の構造を示す斜視図である。
【考案を実施するための形態】
【００１０】  以下、本考案の実施の形態を図に基づいて説明する。
【００１１】図１は本考案の側面図、図２は本考案の正面図を示す。テーブル５に支柱４が取付けられており、その支柱４に昇降スイッチ２と持ち手３が設けられている。土台１０にキャスター９が取付けられ、土台１０とテーブル５に昇降装置１１が備わっている。
【００１２】  図３は昇降装置１１の構造を示す側面図であり、図４、図５、図６はその構造を分解斜視図にしたものである。
【００１３】  昇降装置１１は図６で示すように、アームａ６とアームｂ７を連結ピン８とブッシュ３７によって枢結させたＸリンクを２個並置し、軸ａ２８、軸ｂ２９、軸ｃ３０．軸ｄ３１をそれぞれに挿し込み、軸ａ２８と軸ｃ３０の両端にカラーｂ３４及びカラーｄ３６とベアリングｂ３２を嵌めてねじで固定する。この時、軸ａ２８には、図５で示す駆動部を添装しておく。
また軸ｂ２９と軸ｄ３１は、両端にベアリングｂ３２とカラーａ３３及びカラーｃ３５を嵌めておく。
【００１４】  図５は昇降装置１１の駆動部を示す。モーター１７に歯車１２を嵌め込み、図で示すように、ベアリングケースａ２３にベアリングａ２２を、ベアリングケースｂ２６に受けベアリング２１をそれぞれ嵌め込む。ブロック１８に台形ねじナット１９を固定し、台形ねじ２０を螺入する。台形ねじ２０にベアリングａ２２、歯車１２、受けベアリング２１を挿着し、ブロック１８を軸ａ２８に添装する。
【００１５】  図４は昇降装置１１のフレーム部を示す。テーブル５にコントローラー１３を固定、支持プレートａ１４及び支持プレートｂ１５を溶着させる。土台１０に支持プレートａ１４、支持プレートｂ１５、取付けベースａ２５、取付けベースｂ２７を溶着させ、電源装置１６及びモーター１７を取付けベースｂ２７に、リミットスイッチ２５を取付けベースａ２５に固定する。
【００１６】  図６の軸ａ２８、軸ｃ３０に付けたベアリングｂ３２を支持プレートｂ１５の長穴に遊貫し、軸ｂ２９、軸ｄ３１を支持プレートａ１４に挟入しねじで固定する。
【００１７】  図７、図８はキャスター９の分解図を示す。取付けベースｃ３８の突起にスプリング３９を嵌め、またピン４０を取付けベースｃ３８に軸通させ、取付けベースｄ４１にもピン４０を軸通させながら取付けベースｄ４１の突起を取付けベースｃ３８に軸通させる。キャスター４２もピン４０に軸通させピン４０の両端をナットで留める。取付けベースｃ３８を土台１０に溶着させる。
【００１８】  上記の形態では、モーター１７を昇降スイッチ２で動かすことにより、歯車１２を介して台形ねじ２０が回転し、ブロック１８を添装された軸ａ２８が台形ねじ２０と平行に移動することで、Ｘリンクが寝たり起きたりし、連結させたテーブル５が昇降する。
【符号の説明】
【００１９】１    移動型電動昇降踏み台
２    昇降スイッチ
３    持ち手
４    支柱
５    テーブル
６    アームａ
７    アームｂ
８    連結ピン
９    キャスター
１０  土台
１１  昇降装置
１２  歯車
１３  コントローラー
１４  支持プレートａ
１５  支持プレートｂ
１６  電源装置
１７  モーター
１８  ブロック
１９  台形ねじナット
２０  台形ねじ
２１  受けベアリング
２２  ベアリングａ
２３  ベアリングケースａ
２４  リミットスイッチ
２５  取付けベースａ
２６  ベアリングケースｂ
２７  取付けベースｂ
２８  軸ａ
２９  軸ｂ
３０  軸ｃ
３１  軸ｄ
３２  ベアリングｂ
３３  カラーａ
３４  カラーｂ
３５  カラーｃ
３６  カラーｄ
３７  ブッシュ
３８  取付けベースｃ
３９  スプリング
４０  ピン
４１  取付けベースｄ
４２  キャスター
【図１】
0003195567.tif 000003
【図２】
0003195567.tif 000004
【図３】
0003195567.tif 000005
【図４】
0003195567.tif 000006
【図５】
0003195567.tif 000007
【図６】
0003195567.tif 000008
【図７】
0003195567.tif 000009
【図８】
0003195567.tif 000010